(57)【要約】【課題】  ノイズ低減効果を有し、且つ始動性のよい無電極放電灯点灯装置、および照明器具を提供する。【解決手段】  無電極放電灯Ｌａ近傍に巻回されて、両端に第１，第２のターミナル３ａ，３ｂを設けた誘導コイル３と、直流電圧を出力する電源回路１と、電源回路１が出力する直流電圧を高周波電圧に変換して第３，第４のターミナル２ａ，２ｂから出力するインバータ回路２と、第３のターミナル２ａと第１のターミナル３ａとの間に接続された第１のキャパシタンス素子Ｃ１と、第４のターミナル２ｂと第２のターミナル３ｂとの間に接続された第２のキャパシタンス素子Ｃ２と、直流電位ターミナル４ａに直流電位を発生させて、直流電位ターミナル４ａに接続された第１のターミナル３ａに直流電圧を印加する直流電源装置４とを備える。【選択図】図１
2006278052.tif 000002
【特許請求の範囲】
【請求項１】
無電極放電灯近傍に巻回されて、両端に第１，第２のターミナルを設けた誘導コイルと、
直流電圧を出力する電源回路と、
電源回路が出力する直流電圧を高周波電圧に変換して第３，第４のターミナルから出力するインバータ回路と、
第３のターミナルと第１のターミナルとの間に接続された第１のキャパシタンス素子と、
第４のターミナルと第２のターミナルとの間に接続された第２のキャパシタンス素子と、
第１のターミナルに直流電圧を印加する直流電圧印加手段とを備えることを特徴とする無電極放電灯点灯装置。
【請求項２】
前記直流電圧印加手段は、前記電源回路が出力する直流電圧を前記第１のターミナルに印加することを特徴とする請求項１記載の無電極放電灯点灯装置。
【請求項３】
前記電源回路が前記インバータ回路に出力する直流電圧が接続された直流電位ターミナルと前記第１のターミナルとの間を接続、切断する接続・切断手段を備えて、インバータ回路の停止時に直流電位ターミナルと第１のターミナルとの間を接続・切断手段を介して接続して、電源回路はインバータ回路への出力に第１の電位を発生させ、次に直流電位ターミナルと第１のターミナルとの間を接続・切断手段によって切断して、電源回路はインバータ回路への出力に第１の電位より低い第２の電位を発生させて、インバータ回路が動作することを特徴とする請求項２記載の無電極放電灯点灯装置。
【請求項４】
前記直流電圧印加手段が発生させた直流電位と前記第１のターミナルとの間には、直流電位から第１のターミナルに順方向にダイオード素子を接続することを特徴とする請求項１乃至３いずれか記載の無電極放電灯点灯装置。
【請求項５】
前記誘導コイルは前記無電極放電灯に設けた窪み部内に配置され、窪み部内には金属体を設けたことを特徴とする請求項１乃至４いずれか記載の無電極放電灯点灯装置。
【請求項６】
前記誘導コイル近傍にマンガン系の磁性体を配設したことを特徴とする請求項１乃至５いずれか記載の無電極放電灯点灯装置。
【請求項７】
前記インバータ回路が前記第３，第４のターミナルから出力する高周波電圧の周波数は５００ＫＨｚ以下であることを特徴とする請求項１乃至６いずれか記載の無電極放電灯点灯装置。
【請求項８】
請求項１乃至７いずれかの無電極放電灯点灯装置と、無電極放電灯点灯装置を装着する本体と、無電極放電灯点灯装置から電力が供給される無電極放電灯とを備えることを特徴とする照明器具。
【発明の詳細な説明】
【技術分野】
【０００１】
本発明は、無電極放電灯点灯装置、および照明器具に関するものである。
【背景技術】
【０００２】
従来の無電極放電灯点灯装置として、図８に示すように、直流電圧を出力する電源回路１と、電源回路１が出力する直流電圧を高周波電圧に変換して出力するインバータ回路２と、無電極放電灯に設けた窪み部内に配置されてインバータ回路２の高周波出力を供給される誘導コイル３とを備えたものがあり、誘導コイル３の一端に設けた第１のターミナル３ａには第１のキャパシタンス素子Ｃ１の一端が接続され、誘導コイル３の他端に設けた第２のターミナル３ｂには第２のキャパシタンス素子Ｃ２の一端が接続されて、第１，第２のキャパシタンス素子Ｃ１，Ｃ２の各他端はインバータ回路２の各出力端に接続した容量分割構造に構成されている。また、第１，第２のキャパシタンス素子Ｃ１，Ｃ２の各容量値は、実質的に等しい値に設定される。
【０００３】
上記容量分割構造は、ＲＦ信号を発生する誘導コイル３の動作と協同して、誘導コイル３の両端間に不平衡負荷が接続されることにより発せられるＥＭＩ放射を最小化するノイズ低減効果を有するものである。（例えば、特許文献１参照）
【特許文献１】特表平８−５１１６５１号公報
【発明の開示】
【発明が解決しようとする課題】
【０００４】
一般に、無電極放電灯内に封入されたガスの絶縁が破壊されて放電が開始される始動時には、２つのモードが存在することが知られている。第１のモードは、誘導コイル３に発生する電位によって無電極放電灯内に電位傾度が発生し、この電位傾度によって無電極放電灯内に封入されたガスが電離して、絶縁が破壊されるモードであり、これを電界放電と呼ぶ。
【０００５】
第２のモードは、誘導コイル３によって発生する磁界によって、無電極放電灯内では誘導コイル３の巻回方向に誘導磁界が発生し、この誘導磁界によって無電極放電灯内に封入されたガスが電離して、絶縁が破壊されるモードであり、これを誘導放電と呼ぶ。
【０００６】
そして、無電極放電灯では、電界放電による絶縁破壊で発生した電子が誘導磁界によって加速し、ガスを電離させて絶縁を破壊するという経路をたどる。
【０００７】
しかし、上記従来の無電極放電灯点灯装置では、誘導コイル３の第１，第２のターミナル３ａ，３ｂ間に図９（ａ）に示すような高周波電圧Ｖ３（第１，第２のターミナル３ａ，３ｂ間の電位差）を印加した場合、安定電位に対する第１，第２のターミナル３ａ，３ｂの各電位Ｖ３ａ，Ｖ３ｂは、図９（ｂ）に示すようにバイアス電圧０の高周波電圧波形となるが、第１，第２のキャパシタンス素子Ｃ１，Ｃ２により電圧Ｖ３に比べて低下する。
【０００８】
このため、無電極放電灯内に電界放電を開始させることが困難になり、無電極放電灯を始動させるためには、誘導コイル３の第１，第２のターミナル３ａ，３ｂ間により高い電圧を印加しなければならず、誘導コイル３に絶縁性の高い被覆線を用いる必要が生じるほか、第１，第２のキャパシタンス素子Ｃ１，Ｃ２や、インバータ回路２に用いる回路素子に耐圧が高いものが必要になり、さらには、電源回路１やインバータ回路２に電流容量の大きな回路素子を使う必要が生じていた。したがって、無電極放電灯点灯装置、それを用いた照明器具が高価で、大型なものとなっていた。
【０００９】
本発明は、上記事由に鑑みてなされたものであり、その目的は、ノイズ低減効果を有し、且つ始動性のよい無電極放電灯点灯装置、および照明器具を提供することにある。
【課題を解決するための手段】
【００１０】
請求項１の発明は、無電極放電灯近傍に巻回されて、両端に第１，第２のターミナルを設けた誘導コイルと、直流電圧を出力する電源回路と、電源回路が出力する直流電圧を高周波電圧に変換して第３，第４のターミナルから出力するインバータ回路と、第３のターミナルと第１のターミナルとの間に接続された第１のキャパシタンス素子と、第４のターミナルと第２のターミナルとの間に接続された第２のキャパシタンス素子と、第１のターミナルに直流電圧を印加する直流電圧印加手段とを備えることを特徴とする。
【００１１】
この発明によれば、安定電位に対する第１のターミナルの電位を高めることができ、電界放電を開始するために必要な誘導コイル両端の第１，第２のターミナル間の電位差を小さくすることができる。したがって、始動性の向上を図るとともに、誘導コイルに絶縁性の低い被覆線を用いることができるほか、第１，第２のキャパシタンス素子や、インバータ回路に用いる回路素子に耐圧が低いものを用いることができ、さらには、電源回路やインバータ回路に用いる回路素子の電流容量を小さくすることができる。このため、無電極放電灯点灯装置を安価、小型に構成することが可能となる。また、第１，第２のキャパシタンス素子を用いた容量分割構造によって、誘導コイルの両端間に不平衡負荷が接続されることにより発せられるＥＭＩ放射を最小化するノイズ低減効果を有する。
【００１２】
請求項２の発明は、請求項１において、前記直流電圧印加手段は、前記電源回路が出力する直流電圧を前記第１のターミナルに印加することを特徴とする。
【００１３】
この発明によれば、比較的高電位な電源回路の出力を利用することで、別途直流電源を設けることなく、無電極放電灯Ｌａの始動性を改善することができ、無電極放電灯点灯装置をさらに安価、小型に構成することが可能となる。
【００１４】
請求項３の発明は、請求項２において、前記電源回路が前記インバータ回路に出力する直流電圧が接続された直流電位ターミナルと前記第１のターミナルとの間を接続、切断する接続・切断手段を備えて、インバータ回路の停止時に直流電位ターミナルと第１のターミナルとの間を接続・切断手段を介して接続して、電源回路はインバータ回路への出力に第１の電位を発生させ、次に直流電位ターミナルと第１のターミナルとの間を接続・切断手段によって切断して、電源回路はインバータ回路への出力に第１の電位より低い第２の電位を発生させて、インバータ回路が動作することを特徴とする。
【００１５】
この発明によれば、始動性をより高めることができるとともに、インバータ回路の動作時には電源回路の出力電圧を低くするので、インバータ回路のストレスを低減することができ、無電極放電灯点灯装置をさらに安価、小型に構成することが可能となる。
【００１６】
請求項４の発明は、請求項１乃至３いずれかにおいて、前記直流電圧印加手段が発生させた直流電位と前記第１のターミナルとの間には、直流電位から第１のターミナルに順方向にダイオード素子を接続することを特徴とする
この発明によれば、電源回路が出力する最も高い直流電圧をスイッチ等の接続・切断手段を用いることなく第１，第２のキャパシタンス素子にチャージすることができるので、始動性の改善を図るとともに、無電極放電灯点灯装置をさらに安価、小型に構成することが可能となる。
【００１７】
請求項５の発明は、請求項１乃至４いずれかにおいて、前記誘導コイルは前記無電極放電灯に設けた窪み部内に配置され、窪み部内には金属体を設けたことを特徴とする。
【００１８】
この発明によれば、無電極放電灯の窪み部内に誘導コイルを配置しているので、無電極放電灯内に電位を発生させることが容易となり、始動性改善の効果を高めている。また、金属体を窪み部内に配置することで、安定電位を有する部位の面積を広くすることができて、誘導コイルとの間に電位傾度を持つ空間を広く設定することができ、無電極放電灯内部での電界放電による始動性改善の効果が向上する。さらに、この金属体を、窪み部内から窪み部外へ延出させることで、誘導コイルや無電極放電灯による窪み部内の熱を窪み部外に排出することができる。
【００１９】
請求項６の発明は、請求項１乃至５いずれかにおいて、前記誘導コイル近傍にマンガン系の磁性体を配設したことを特徴とする。
【００２０】
この発明によれば、誘導コイル近傍に配置したマンガン系の磁性体の導電性によって、始動性改善の効果を得ることができる。
【００２１】
請求項７の発明は、請求項１乃至６いずれかにおいて、前記インバータ回路が前記第３，第４のターミナルから出力する高周波電圧の周波数は５００ＫＨｚ以下であることを特徴とする。
【００２２】
この発明によれば、インバータ回路のスイッチング損失等の損失を低減でき、回路用素子の選択の幅が大きく広がる。さらには、ＡＭ波等のラジオ周波数への影響を抑えるための対策も、簡略化することができる。
【００２３】
請求項８の発明は、請求項１乃至７いずれかの無電極放電灯点灯装置と、無電極放電灯点灯装置を装着する本体と、無電極放電灯点灯装置から電力が供給される無電極放電灯とを備えることを特徴とする。
【００２４】
この発明によれば、照明器具においても実施形態１乃至７いずれかと同様の効果を奏し得る。
【発明の効果】
【００２５】
以上説明したように、本発明では、ノイズ低減効果を有し、且つ始動性のよい無電極放電灯点灯装置、および照明器具を提供することができるという効果がある。
【発明を実施するための最良の形態】
【００２６】
以下、本発明の実施の形態を図面に基づいて説明する。
【００２７】
（実施形態１）
本実施形態の無電極放電灯点灯装置Ａは、無電極放電灯Ｌａ近傍に巻回されて、両端に第１，第２のターミナル３ａ，３ｂを設けた誘導コイル３と、直流電圧を出力する電源回路１と、電源回路１が出力する直流電圧を高周波電圧に変換して第３，第４のターミナル２ａ，２ｂから出力するインバータ回路２と、第３のターミナル２ａと第１のターミナル３ａとの間に接続された第１のキャパシタンス素子Ｃ１と、第４のターミナル２ｂと第２のターミナル３ｂとの間に接続された第２のキャパシタンス素子Ｃ２と、直流電位ターミナル４ａに直流電位を発生させて、直流電位ターミナル４ａに接続した第１のターミナル３ａに直流電圧を印加する直流電源装置４とを備える。
【００２８】
そして、インバータ回路２が第３，第４のターミナル２ａ，２ｂを介して高周波電圧を出力し、且つ直流電源装置４が直流電位ターミナル４ａに直流電位Ｖｄｃ１を発生させて第１のターミナル３ａに直流電圧を印加すると、安定電位に対する第１のターミナル３ａの電位Ｖ３ａは、図２に示すように正側に直流電位Ｖｄｃ１バイアスした高周波電圧の波形となる。すなわち、誘導コイル３の第１のターミナル３ａを、直流電位Ｖｄｃ１が発生する直流電位ターミナル４ａに接続しておくことで、図９（ｂ）に示す従来の電位Ｖ３ａよりも直流電位Ｖｄｃ１分高い電位Ｖ３ａを発生させることができる。つまり、安定電位に対する第１のターミナル３ａの電位Ｖ３ａを高めることができ、電界放電を開始するために必要な誘導コイル３両端の第１，第２のターミナル３ａ，３ｂ間の電位差を小さくすることができるのである。
【００２９】
したがって、始動性の向上を図るとともに、誘導コイル３に絶縁性の低い被覆線を用いることができるほか、第１，第２のキャパシタンス素子Ｃ１，Ｃ２や、インバータ回路２に用いる回路素子に耐圧が低いものを用いることができ、さらには、電源回路１やインバータ回路２に用いる回路素子の電流容量を小さくすることができる。このため、無電極放電灯点灯装置Ａを安価、小型に構成することが可能となる。
【００３０】
また、従来例と同様に第１，第２のキャパシタンス素子Ｃ１，Ｃ２を用いた容量分割構造であり、ＲＦ信号を発生する誘導コイル３の動作と協同して、誘導コイル３の両端間に不平衡負荷が接続されることにより発せられるＥＭＩ放射を最小化するノイズ低減効果を有する。
【００３１】
（実施形態２）
本実施形態の無電極放電灯点灯装置Ａは、電源回路１の正側出力を直流電位ターミナル４ａに接続することで、直流電位ターミナル４ａに直流電位Ｖｄｃ２を発生させており、図３にその構成を示す。なお、実施形態１と同様の構成には同一の符号を付して説明は省略する。
【００３２】
電源回路１は、交流電源ＡＣの交流出力を整流する整流器ＤＢ１と、整流器ＤＢ１の正側出力に接続したインダクタンス素子Ｌ１とダイオードＤ１との直列回路と、インダクタンス素子Ｌ１を介して整流器ＤＢ１の出力端間に接続したスイッチング素子Ｑ１と電流検出部Ｓ１との直列回路と、インダクタンス素子Ｌ１、ダイオードＤ１を介して整流器ＤＢ１の出力端間に接続したキャパシタンス素子Ｃ３と、入力電圧、出力電圧、および電流検出部Ｓ１が検出したスイッチング素子Ｑ１を流れる電流に基づいてスイッチング素子Ｑ１のスイッチング動作を制御する電源制御回路１０とから構成され、スイッチング素子Ｑ１をオン・オフすることで、整流電圧を所望の直流電圧に変換している。
【００３３】
インバータ回路２は、入力端間に接続した高圧側スイッチング素子Ｑ２と低圧側スイッチング素子Ｑ３の直列回路と、スイッチング素子Ｑ３に並列接続したインダクタンス素子Ｌ２とキャパシタンス素子Ｃ４の直列回路と、抵抗素子Ｒ１とキャパシタンス素子Ｃ５を用いたＲＣ発振回路２０と、ＲＣ発振回路２０の発振出力に基づいてスイッチング素子Ｑ２，Ｑ３のスイッチング動作を制御するドライブ回路２１とからなるＤ級増幅回路で構成される。そして、キャパシタンス素子Ｃ４の両端が第３，第４のターミナル２ａ，２ｂに接続されて、実施形態１と同様にキャパシタンス素子Ｃ１，Ｃ２、誘導コイル３が接続される。
【００３４】
そして、電源回路１の正側出力と誘導コイル３の第１のターミナル３ａとを直流電位ターミナル４ａを介して接続することで、電源回路１の出力によって直流電位ターミナル４ａに直流電位Ｖｄｃ２を発生させて、第１のターミナル３ａには、図９（ｂ）に示す従来の電位Ｖ３ａよりも直流電位Ｖｄｃ２分高い電位Ｖ３ａを発生させることができる。つまり、電源回路１が出力する比較的高い直流電位は無電極放電灯Ｌａの始動性向上に効果があり、この電源回路１の出力を利用することで、別途直流電源を設けることなく、無電極放電灯Ｌａの始動性を改善することができ、無電極放電灯点灯装置Ａをさらに安価、小型に構成することが可能となる。
【００３５】
（実施形態３）
本実施形態の無電極放電灯点灯装置Ａは、電源回路１の正側出力を直流電位ターミナル４ａに接続することで直流電位ターミナル４ａに直流電位を発生させ、さらに直流電位ターミナル４ａはスイッチ５を介して誘導コイル３の第１のターミナル３ａに接続しており、図４にその構成を示す。なお、実施形態１と同様の構成には同一の符号を付して説明は省略する。
【００３６】
以下、電源回路１およびスイッチ５による始動時の直流電位印加動作について説明する。図５は、電源回路１が出力する直流電位を示しており、まず、インバータ回路２の停止時にスイッチ５をオンして直流電位ターミナル４ａと第１のターミナル３ａとの間を接続し、電源回路１の出力によって直流電位ターミナル４ａに高い直流電位Ｖｄｃ３を発生させ、スイッチ５を介して第１，第２のキャパシタンス素子Ｃ１，Ｃ２をチャージして、第１のターミナル３ａの電位を直流電位Ｖｄｃ３にまで高くする。次に、時間ｔ１でスイッチ５をオフして直流電位ターミナル４ａと第１のターミナル３ａとの間を切断した後、電源回路１が出力する直流電位をインバータ回路２の動作に最適なＶｄｃ２にまで低下させ、時間ｔ２でインバータ回路２が動作を開始する。
【００３７】
つまり、まずスイッチ５をオンしてから電源回路１の出力電圧を高くすることで第１のターミナル３ａの電位を高い直流電位Ｖｄｃ３にまで予め高めておいて、次にスイッチ５をオフして電源回路１の出力電圧を低下させてからインバータ回路２を動作させることで、第１のターミナル３ａには、図９（ｂ）に示す従来の電位Ｖ３ａよりも直流電位Ｖｄｃ３分高い電位Ｖ３ａを発生させることができて、無電極放電灯Ｌａのさらなる始動性向上に効果があるとともに、インバータ回路２の動作時のストレスを低減することができる。また、電源回路１の出力を利用することで、別途直流電源を設けることなく、無電極放電灯Ｌａの始動性を改善することができ、無電極放電灯点灯装置Ａをさらに安価、小型に構成することが可能となる。
【００３８】
（実施形態４）
本実施形態の無電極放電灯点灯装置Ａは、電源回路１の正側出力を直流電位ターミナル４ａに接続することで直流電位ターミナル４ａに直流電位を発生させ、さらに直流電位ターミナル４ａはダイオード６を介して誘導コイル３の第１のターミナル３ａに接続しており、ダイオード６は直流電位ターミナル４ａから第１のターミナル３ａに向かって順方向に接続され、図６にその構成を示す。なお、実施形態１と同様の構成には同一の符号を付して説明は省略する。
【００３９】
電源回路１は一般的に、負荷となる回路の消費電力が小さい場合に出力電圧が高くなるので、インバータ回路２の動作中よりも動作前のほうが高い出力電圧を発生する。したがって、インバータ回路２の動作前に発生する電源回路１の高い出力電圧によって、直流電位ターミナル４ａに高い直流電位Ｖｄｃ４を発生させ、ダイオード６を介して第１，第２のキャパシタンス素子Ｃ１，Ｃ２をチャージし、第１のターミナル３ａの電位を高い直流電位Ｖｄｃ４にまで高くする。次にインバータ回路２を動作させて電源回路１の出力電圧が低下すると、ダイオード６には逆バイアスがかかり、第１のターミナル３ａの電位を高い直流電位Ｖｄｃ４に維持した状態でインバータ回路２が動作する。
【００４０】
したがって、実施形態２の構成にダイオード６を付加した簡単な構成で、電源回路１の出力によって発生した最も高い電位を第１のターミナル３ａの電位としてためることができ、高い直流電位Ｖｄｃ４によって無電極放電灯Ｌａのさらなる始動性向上に効果があるとともに、インバータ回路２の動作時のストレスを低減することができる。また、電源回路１の出力を利用することで、別途直流電源を設けることなく、無電極放電灯Ｌａの始動性を改善することができ、無電極放電灯点灯装置Ａをさらに安価、小型に構成することが可能となる。
【００４１】
また、図６では本実施形態の無電極放電灯Ｌａを模式的に断面図で表しているが、無電極放電灯Ｌａは外面から中心部に伸びる窪み部１００を設け、この窪み部１００内に柱状の金属体１０１を配置し、金属体１０１の外周にマンガン系の磁性体（コア）１０２を配置して、コア１０２の外周に誘導コイル３が巻回している。
【００４２】
このように、無電極放電灯Ｌａの窪み部１００内に誘導コイル３を配置しているので、無電極放電灯Ｌａ内に電位を発生させることが容易となり、始動性改善の効果を高めている。
【００４３】
また、金属体１０１を窪み部１００内に配置することで、安定電位を有する部位の面積を広くすることができて、誘導コイル３との間に電位傾度を持つ空間を広く設定することができ、無電極放電灯Ｌａ内部での電界放電による始動性改善の効果が向上する。また、この金属体１０１を、窪み部１００内から窪み部１００外へ延出させて、安定電位に接続することによって、金属体１０１を安定電位に安定させることができる。さらに、金属体１０１を接続した窪み部１００外の安定電位の部位を、放熱性のよい構造あるいは材料とすることで、誘導コイル３や無電極放電灯Ｌａによる窪み部１００内の熱を窪み部１００外に排出することができる。
【００４４】
さらに、誘導コイル３近傍に配置したマンガン系のコア１０２の導電性によって、上記金属体１０１と同様に始動性改善の効果を得ることができる。
【００４５】
また、本実施形態のインバータ回路２が誘導コイル３へ出力する電圧の周波数は、５００ＫＨｚ以下であり、一般的にインバータ回路２の動作周波数を低周波化することによって、インバータ回路２のスイッチング損失等の損失を低減でき、回路用素子の選択の幅が大きく広がる。さらには、ＡＭ波等のラジオ周波数への影響を抑えるための対策も、簡略化することができる。
【００４６】
しかし、一般的にインバータ回路２の動作周波数を低周波化すると、動作周波数の角速度と誘導コイル３のインダクタンス値と誘導コイル３を流れる電流値との積で表される誘導コイル３の交流成分による電位を発生させることが困難になる。そこで、この動作周波数の低下による上記問題を補償するために誘導コイル３のインダクタンス値を増加させるには、誘導コイル３の巻数を増加させたり、コア１０２の構造を大きくする必要があるが、誘導コイル３の大型化や損失増加を招き、光出力、効率が低下してしまう。
【００４７】
また、動作周波数の低下による上記問題を補償するために誘導コイル３を流れる電流値を増加させると、誘導コイル３の磁気飽和を防止するために誘導コイル３の大型化を図ったり、インバータ回路２の出力容量を増大させる必要があり、無電極放電灯点灯装置Ａの大型化、コスト上昇を招いてしまう。
【００４８】
しかし、本実施形態では、上記のように誘導コイル３一端の第１のターミナル３ａに直流電位Ｖｄｃ４を印加することによって、誘導コイル３の交流成分の電位が低くても、無電極放電灯Ｌａの点灯を開始させることができる。したがって、インバータ回路２の動作周波数を５００ＫＨｚ以下にした場合でも、始動性が改善されるとともに、損失の小さい無電極放電灯点灯装置Ａを実現できる。
【００４９】
（実施形態５）
図７は、実施形態４の無電極放電灯点灯装置Ａを用いた照明器具Ｂを側面からみた一部破断図である。
【００５０】
照明器具Ｂの本体２００は、一端面を開口した椀状のグローブ２０１と、グローブ２０１の開口面に覆設したカバー２０２と、グローブ２０１の他端面に配置された台座２０３と、台座２０３を覆うように設けられた放熱板２０４と、放熱板２０４の外周からグローブ２０１の開口面側に向かって広がる形状に形成された筒状の拡散板２０５とから構成される。
【００５１】
無電極放電灯点灯装置Ａは、回路ケース３００内に収納されて、台座２０３上に配置される。
【００５２】
無電極放電灯Ｌａは外面から中心部に伸びる窪み部１００を設け、この窪み部１００内に柱状の金属体１０１を配置し、金属体１０１の外周にマンガン系の磁性体（コア）１０２を配置して、コア１０２の外周に誘導コイル３が巻回している。そして、金属体１０１は、窪み部１００外に延出して、放熱板２０４に接続されており、金属体１０１を安定電位に安定させることができ、始動性の改善効果がさらに向上する。
【００５３】
さらに、金属体１０１を放熱板２０４に接続することで、窪み部１００内の熱を窪み部１００外へ排出して、窪み部１００内の誘導コイル３の温度を下げることができるので、誘導コイル３の絶縁劣化を低減することができる。すなわち、誘導コイル３の絶縁体に安価なものを用いることができるほか、絶縁体の信頼性を高めることができ、寿命の長い無電極放電灯点灯装置Ａ、照明器具Ｂを実現できる。寿命例としては、光束７０％減衰時で点灯時間が６万時間であり、このため、無電極放電灯Ｌａの取り替え頻度が少なくなり、無電極放電灯Ｌａ取り替えのための照明器具Ｂの機構を簡略化でき、安価な照明器具Ｂを実現することができる。
【００５４】
なお、実施形態１〜３いずれかの無電極放電灯点灯装置Ａを用いても、無電極放電灯Ｌａの構造を上記同様に構成すれば、同様の効果を奏し得る。
【図面の簡単な説明】
【００５５】
【図１】本発明の実施形態１の無電極放電灯点灯装置を示す回路構成図である。
【図２】同上の安定電位に対する第１のターミナルの電位を示す波形図である。
【図３】本発明の実施形態２の無電極放電灯点灯装置を示す回路構成図である。
【図４】本発明の実施形態３の無電極放電灯点灯装置を示す回路構成図である。
【図５】同上の電源回路が出力する直流電位を示す図である。
【図６】本発明の実施形態４の無電極放電灯点灯装置を示す回路構成図である。
【図７】本発明の実施形態５の照明器具を示す一部破断した側面図である。
【図８】従来の無電極放電灯点灯装置を示す回路構成図である。
【図９】（ａ）は従来の誘導コイルの両端間の電圧波形を示し、（ｂ）は安定電位に対する誘導コイル各端部の電位波形を示す。
【符号の説明】
【００５６】
Ａ  無電極放電灯点灯装置
Ｌａ  無電極放電灯
Ｃ１  第１のキャパシタンス素子
Ｃ２  第２のキャパシタンス素子
１  電源回路
２  インバータ回路
２ａ  第３のターミナル
２ｂ  第４のターミナル
３  誘導コイル
３ａ  第１のターミナル
３ｂ  第２のターミナル
４  直流電源装置
４ａ  直流電位ターミナル
【図１】
2006278052.tif 000003
【図２】
2006278052.tif 000004
【図３】
2006278052.tif 000005
【図４】
2006278052.tif 000006
【図５】
2006278052.tif 000007
【図６】
2006278052.tif 000008
【図７】
2006278052.tif 000009
【図８】
2006278052.tif 000010
【図９】
2006278052.tif 000011